(57)【要約】【課題】  空気中に含まれている微細塵埃を濾過する過程において、フィルタに溜まる塵埃を容易に除去することができ、フィルタを半永久的に使用できる真空掃除機のフィルタアセンブリを提供すること。【解決手段】  本発明に係る真空掃除機のフィルタアセンブリは、サイクロン方式で塵芥の濾過した空気中の微細塵埃を濾過する１次のフィルタ８２と、前記１次のフィルタ８２がその外周部に設けられ、前記外周部に複数の通気孔が設けられるフィルタケース８１と、前記フィルタケース８１の内部に取り付けられ、前記１次のフィルタ８２を通過した空気中の微細塵埃を再び濾過する２次のフィルタ８３とを備えることを特徴とする。【選択図】      図３
2005028101.tif 000002
【特許請求の範囲】
【請求項１】
サイクロン方式により相対的に大きい塵芥の濾過された空気中の微細塵埃を濾過する１次のフィルタと、
前記１次のフィルタがその外周部に設けられ、前記外周部に複数の通気孔が設けられているフィルタケースと、
前記フィルタケースの内部に取り付けられ、前記１次のフィルタを通過した空気中の微細塵埃を再び濾過する２次のフィルタとを備えることを特徴とする真空掃除機のフィルタアセンブリ。
【請求項２】
前記１次のフィルタは、前記フィルタケースの外周面に別に接着されるメッシュ状のフィルタであることを特徴とする請求項１に記載の真空掃除機のフィルタアセンブリ。
【請求項３】
前記２次のフィルタは、プリーツフィルタであることを特徴とする請求項１に記載の真空掃除機のフィルタアセンブリ。
【請求項４】
前記プリーツフィルタは、表面を拡張するために、複数回折り曲げられて設けられた折り曲げ部と、前記折り曲げ部の上部及び下部の取り付けられるフレキシブル固定部とを備えることを特徴とする請求項３に記載の真空掃除機のフィルタアセンブリ。
【請求項５】
前記第２のフィルタは、多孔性フィルタであることを特徴とする請求項１に記載の真空掃除機のフィルタアセンブリ。
【請求項６】
前記フィルタケースの上段又は下段に取り付けられるフィルタカバーを備えることを特徴とする請求項１に記載の真空掃除機のフィルタアセンブリ。
【請求項７】
前記フィルタケースは、外周部の一部に空気が通らない閉塞面を有することを特徴とする請求項１に記載の真空掃除機のフィルタアセンブリ。
【請求項８】
流入された空気中の微細塵埃を濾過する１次のフィルタと、
前記１次のフィルタがその外周部に設けられ、前記外周部に複数の通気孔が設けられているフィルタケースと、
前記フィルタケースの内部に取り付けられ、前記１次のフィルタを通過した空気中の微細塵埃を再び濾過する２次のフィルタとを備え、
前記２次のフィルタは、折り重ねられたフレキシブルなフィルタであることを特徴とする真空掃除機のフィルタアセンブリ。
【請求項９】
前記２次のフィルタは、表面を拡張するために、複数回折り曲げられて設けられた折り曲げ部と、前記折り曲げ部の上部及び下部に取り付けられるフレキシブル固定部とを備えることを特徴とする請求項８に記載の真空掃除機のフィルタアセンブリ。
【請求項１０】
流入された空気中の微細塵埃を濾過する１次のフィルタと、
前記１次のフィルタがその外周部に設けられ、前記外周部に複数の通気孔が設けられているフィルタケースと、
前記フィルタケースの内部に取り付けられ、前記１次のフィルタを通過した空気中の微細塵埃を再び濾過する２次のフィルタとを備え、
前記フィルタケースは、複数の通気孔が設けられた外周部の一部に空気の通らない閉塞面を有することを特徴とする真空掃除機のフィルタアセンブリ。
【請求項１１】
空気流入口や空気排出口が設けられている集塵ケーシングと、
前記集塵ケーシングに取り付けられるフィルタアセンブリであって、流入された空気中の微細塵埃を濾過する１次のフィルタと、前記１次のフィルタを通過した空気中の微細塵埃を再び濾過する２次のフィルタとを有するフィルタアセンブリとを備えることを特徴とする真空掃除機の集塵ユニット。
【請求項１２】
前記フィルタアセンブリは、１次のフィルタがその外周部に設けられ、前記外周部に複数の通気孔が設けられており、前記２次のフィルタが内部に取り付けられるフィルタケースを備えることを特徴とする請求項１１に記載の真空掃除機の集塵ユニット。
【請求項１３】
前記集塵ユニットは、濾過された空気の排出される開口部が設けられているカバーを備え、前記フィルタアセンブリは、前記カバーに取り付けられることを特徴とする請求項１１に記載の真空掃除機の集塵ユニット。
【請求項１４】
前記フィルタアセンブリは、前記フィルタケースの一側に取り付けられるフィルタカバーを備えることを特徴とする請求項１３に記載の真空掃除機の集塵ユニット。
【請求項１５】
前記フィルタケースは、外周部の一部に空気が通らない閉塞面を備えることを特徴とする請求項１２に記載の真空掃除機の集塵ユニット。
【請求項１６】
前記第２のフィルタは、折り重ねられたフィルタであることを特徴とする請求項１１に記載の真空掃除機の集塵ユニット。
【請求項１７】
前記プリーツフィルタは、表面を拡張するために複数回折り曲げられて設けられた折り曲げ部と、前記折り曲げ部の上部及び下部に取り付けられるフレキシブル固定部とを備えることを特徴とする請求項１６に記載の真空掃除機の集塵ユニット。
【請求項１８】
前記第２のフィルタは、多孔性フィルタであることを特徴とする請求項１１に記載の真空掃除機の集塵ユニット。
【発明の詳細な説明】
【技術分野】
【０００１】
本発明は、真空掃除機に関し、より詳しくは、真空掃除機の集塵ユニットの内部フィルタアセンブリを改善した真空掃除機に関する。
【背景技術】
【０００２】
真空掃除機は、本体の内部に設置された真空モータにより形成される真空圧を利用して異物質を含む空気を吸込み、本体の内部で塵芥をフィルタリングし、それらを集めて排出できるようにする装置である。
一方、最近になって脚光を浴びているサイクロン方式の真空掃除機は、塵芥を濾過するための主な構造であって、高速で回転する空気流路で比較的重い塵芥は、遠心力により外側に移動され、所定の塵芥チャンバーに溜まる方法が適用されている。さらに、サイクロン方式で濾過されていない微細塵埃は、プリーツフィルタを介して濾過されるようになっている。
【０００３】
図７には、一般のサイクロン方式のフィルタリングを行う真空掃除機を示している。
図７を参照して、真空掃除機は、室内の空気を吸込む吸込み手段が組み付けられた本体１０と、前記本体１０の内部と連通するように連結されるフレキシブルな材質の吸込みホース２４と、前記吸込みホース２４の端部に連通するように設けられ、長さの調節が可能な延長管２２と、前記本体１０で発生する吸引力により異物質を含む空気が床面から吸込まれる吸込みノズル２１とを備えている。
【０００４】
そして、前記本体１０には、後方に着脱可能な集塵ユニット１１が設けられている。前記集塵ユニット１１では、吸込みノズル２１を介して吸込まれる異物質を含む空気を流入させ、内部でサイクロン方式の集塵を行っている。また、前記本体１０の側面には、前記集塵ユニット１１の内部で異物質の濾過された空気が外部に排出される排気部１９が設けられている。
【０００５】
前記本体１０の底面には、本体を移動させるための一対の車輪１８が回動自在に設けられている。かつ、前記本体１０の一側には、真空掃除機に電源を供給するための電源コード１６が設けられるが、この電源コード１６は、本体の内部のコードリール（図示せず）に巻き付けられ、内部に収納できるように設けられている。
また、前記集塵ユニット１１には、本体１０の後方で着脱するときに、使用者が握るための取っ手１２が設けられている。かつ、前記本体１０の上面には、真空掃除機を移動させるときに使用者が握るためのハンドル１４が設けられている。
【０００６】
前記集塵ユニット１１には、サイクロン方式で１次集塵を行った後にも残留する微細塵埃を濾過する第２の集塵手段として、別の微細フィルタ（図示せず）を取り付けてもよい。掃除機を長い時間の間繰り返して使用すると、前記微細フィルタには、微細塵埃が溜まり続け、溜まった塵埃を繰り返して除去しなければならない煩わしさがあった。
また、前記微細フィルタに微細塵埃が溜まり続けると、結局、フィルタを頻繁に取り替えなければならないという問題点があった。
【発明の開示】
【発明が解決しようとする課題】
【０００７】
本発明は、上記問題点に鑑みなされたものであり、空気中に含まれている微細塵埃を濾過する過程において、フィルタに溜まる塵埃を容易に除去できる真空掃除機のフィルタアセンブリを提供することを目的とする。
また、微細フィルタを半永久的に使用できるようにする真空掃除機のフィルタアセンブリを提供することを目的とする。
【課題を解決するための手段】
【０００８】
上記の目的を達成するため、本発明の実施の形態に係る真空掃除機のフィルタアセンブリは、サイクロン方式により塵芥の濾過された空気中の微細塵埃を濾過する１次のフィルタと、前記１次のフィルタがその外周部に設けられ、前記外周部に複数の通気孔が設けられるフィルタケースと、前記フィルタケースの内部に取り付けられ、前記１次のフィルタを通過した空気中の微細塵埃を再び濾過する２次のフィルタとを備えている。
【０００９】
また、本発明の実施の形態に係る真空掃除機のフィルタアセンブリは、流入された空気中の微細塵埃を濾過する１次のフィルタと、前記１次のフィルタがその外周部に設けられ、前記外周部に複数の通気孔が設けられるフィルタケースと、前記フィルタケースの内部に取り付けられ、前記１次のフィルタを通過した空気中の微細塵埃を再び濾過する２次のフィルタとを備え、前記２次のフィルタは、折り重ねられたフレキシブルなフィルタであることを特徴とする。
【００１０】
また、本発明の実施の形態に係る真空掃除機のフィルタアセンブリは、流入された空気中の微細塵埃を濾過する１次のフィルタと、前記１次のフィルタがその外周部に設けられ、前記外周部に複数の通気孔が設けられるフィルタケースと、前記フィルタケースの内部に取り付けられ、前記１次のフィルタを通過した空気中の微細塵埃を再び濾過する２次のフィルタとを備え、前記フィルタケースは、複数の通気孔が設けられた外周部の一部に空気の通らない閉塞面を有することを特徴とする。
【００１１】
なお、本発明の実施の形態に係る真空掃除機の集塵ユニットは、空気流入口や空気排出口が設けられている集塵ケーシングと、前記集塵ユニットに取り付けられるフィルタアセンブリであって、流入された空気中の微細塵埃を濾過する１次のフィルタと、前記１次のフィルタを通過した空気中の微細塵埃を再び濾過する２次のフィルタとを備えるフィルタアセンブリとを備えることを特徴とする。
前記のようなフィルタアセンブリにより、フィルタの掃除作業を迅速かつ簡便化でき、さらに、フィルタの寿命を延長できる効果を有する。
【発明の効果】
【００１２】
このような本発明による真空掃除機のフィルタアセンブリによれば、空気中に含まれている微細塵埃を濾過する過程において、フィルタに溜まる塵埃を容易に除去できる効果を有する。また、微細フィルタを半永久的に使用することが可能となり、フィルタアセンブリの使用寿命をより延ばすことができる効果を有する。さらに、サイクロン方式の集塵と共に二重のフィルタリングを行うことにより、掃除効率をより向上させることができる。
【発明を実施するための最良の形態】
【００１３】
以下、本発明の好ましい実施の形態を、添付図面に基づいて詳しく説明する。
図１は、本発明に係るサイクロン方式の真空掃除機の集塵ユニットの正面斜視図であり、図２は、本発明に係るサイクロン方式の真空掃除機の集塵ユニットの分解斜視図である。
図１、図２を参照して説明すると、本発明に係る真空掃除機は、集塵ユニットの上端部を覆って内部部品を保護し、吸込まれる空気が抜けていかないように密閉するカバー３０と、前記カバーのほぼ中心に開口された流出口３１を中心として下側に設けられるフィルタアセンブリ４０と、前記カバー３０の下側に取り付けられる集塵ケーシング８０とを備えている。
【００１４】
詳しくは、前記カバー３０のほぼ中心には、集塵ケーシング８０に吸込まれた空気から塵芥が分離されてきれいになった空気が排出される流出口３１が設けられ、前記流出口３１の下側には、微細な塵埃を濾過するフィルタアセンブリ４０を備えている。前記フィルタアセンブリ４０は、円柱状となり、その外周に微細フィルタが設けられており、外部から内部に流入する空気から塵埃が濾過された後、前記流出口３１を介して外部に排出される。
【００１５】
また、前記集塵ケーシング８０は、真空掃除機本体から吸込まれる空気が集塵ユニット１１に流入される流入経路としての流入口７１と、該流入口７１を通して吸込まれた空気が遠心力により渦巻き、塵芥の自重により塵芥が分離されるようにする円筒状の塵芥分離チャンバー７０と、仕切り板７３を中心として下側に設けられ、所定の開口部を介して自重で落下した塵芥が溜まる主集塵室５０とを備えている。
【００１６】
詳しくは、前記フィルタアセンブリ４０は、外周面に複数の孔が設けられ、上側に空気が流通される大きい開口が設けられるフィルタケーシング４１と、前記フィルタケーシング４１の内部に取り付けられるプリーツフィルタ４２と、前記フィルタケーシング４１の上側に設けられ、前記フィルタケーシング４１が前記カバー３０の下側面に固定されるようにするフィルタカバー４３とを備えている。
【００１７】
前記フィルタアセンブリ４０の動作を説明すると、前記塵芥分離チャンバー７０の内部に渦巻き流が形成され、比較的に大きい塵芥が濾過された後、微細塵埃がプリーツフィルタ４２を介して濾過され、よりきれいになった空気が排出されるようになる。前記プリーツフィルタ４２を介して微細塵埃が濾過されてきれいになった空気は、さらに、前記流出口３１を介して排出される。
【００１８】
図３は、本発明に係る真空掃除機のフィルタアセンブリの一実施の形態を示す分解斜視図である。図示のように、フィルタアセンブリ４０は、外周面に複数の通気孔が設けられる円柱状のフィルタケース８１と、前記フィルタケース８１の外周面に取り付けられる微細フィルタ８２と、前記フィルタケース８１の内部に取り付けられるプリーツフィルタ８３と、前記フィルタケース８１の上側に設けられるフィルタカバー８４とを備えている。
詳しくは、前記フィルタケース８１は、下側面が閉塞され、フィルタケース８１の上側面は、空気の流通のために開口されている。しかし、比較的大きい塵芥を濾過するための集塵ユニットの具体的な形状により、フィルタケース８１の通気孔の位置や空気が排出されるための開口部の位置を変更してもよい。
【００１９】
また、前記微細フィルタ８２は、サイクロン動作により比較的大きい塵芥が濾過された後、さらに、微細塵埃を濾過するためのメッシュ状のフィルタであって、濾過された塵埃は、主として微細フィルタ８２の表面に付着する。また、前記微細フィルタ８２は、接着剤を使用してフィルタケース８１の外周面に取り付けることが好ましい。さらに、前記微細フィルタ８２は、フィルタケース８１の外周面の全体にわたって取り付けたり、微細フィルタ８２の取り付け過程において、微細フィルタ８２の細かいメッシュの目が詰まることを防ぐために、特定の部分にのみ接着剤を塗布して接着してもよい。
【００２０】
本実施の形態において、微細フィルタ８２は、１次のフィルタとして、プリーツフィルタ８３は、２次のフィルタとして機能し、サイクロン方式の集塵と共に二重のフィルタリングを可能とする。
前記プリーツフィルタ８３は、フィルタケース８１の内部に取り付けられ、塵埃の除去のために容易に着脱できるようになっている。前記フィルタカバー８４は、フィルタアセンブリ４０を集塵ユニットに取り付ける部分であり、このフィルタカバー８４の具体的な形状は、集塵ユニットの具体的な構成及び形状に応じてその形状、構成及び配置を変更することができる。
【００２１】
このような集塵ユニットのフィルタアセンブリの動作を説明すると、集塵ユニットの内部で形成されるサイクロン方式の渦巻き流により、比較的大きい塵芥が濾過され、空気中には微細塵埃のみが残留することになる。このような微細塵埃は、さらに、微細フィルタ８２を介して濾過される。前記微細フィルタ８２では、一次的に空気中に含まれている微細塵埃がほぼ完全に濾過される。
また、前記微細フィルタ８２を介して濾過されていない微細塵埃は、プリーツフィルタ８３を介して完全に濾過されてから、フィルタアセンブリ４０の上側に設けられた開口部を通して排出される。
【００２２】
この過程において、前記微細フィルタ８２を介して濾過された塵埃は、微細フィルタ８２の表面に付着するため、この微細フィルタ８２の掃除作業は、従来と異なり、非常に簡単になる。
また、微細フィルタ８２を介して微細塵埃が一次的に濾過されるため、プリーツフィルタ８３に溜まる微細塵埃の量は、極めて少なくなり、前記プリーツフィルタの使用時間や掃除周期は、相当分長くなることもある。
【００２３】
図４には、プリーツフィルタ８３の好ましい実施の形態を示している。本実施の形態において、プリーツフィルタ８３は、塵埃と接触する面積を増やすために、多数回緊密に折り曲げられた折り曲げ部８３ａと前記折り曲げ部８３ａの上下部を固定するためのフレキシブル固定部８３ｂとを備えている。前記折り曲げ部８３ａは、モータ（図示せず）の吸引力により変形することを考慮し、水で洗浄し、半永久的に使用できるように、主として硬化繊維などで製作することが好ましい。
【００２４】
前記フレキシブル固定部８３ｂは、外部の圧力によってフレキシブルな形体の変形が可能となるように、ゴムまたはウレタン材質で形成される。フレキシブル固定部８３ｂは、折り曲げ部８３ａの上下に取り付けられ、折り曲げ部８３ａが一定の形を保持できるように固定する役割を果たし、図示のように、フレキシブル固定部８３ｂを変形して折り曲げ部８３ａの所望の部位を拡張することができる。
このように、フレキシブル固定部８３ｂにより折り曲げ部８３ａの所望の部分を拡大することができ、拡張された折り曲げ部８３ｃに付着した塵埃をブラシなどを使用して容易に除去することができる。
【００２５】
図５は、本発明に係る真空掃除機のフィルタアセンブリの他の実施の形態による分解斜視図である。
図５を参照して説明すると、本実施の形態においては、前述の実施の形態と多くの点で同じである。即ち、微細フィルタ９２、フィルタケース９１、及びフィルタカバー９４が設けられるのは、前述の実施の形態と大同小異である。ただ、本実施の形態においては、前記プリーツフィルタ８３に代わって多孔性フィルタ９３が設けられる点で異なる。前記多孔性フィルタ９３は、スポンジなどを用いることができ、樹脂材を使用し、その内部には塵埃を濾過できる多くの孔が設けられている。
【００２６】
この多孔性フィルタ９３を介して、前記微細フィルタ９２を介して完全に濾過されていない微細塵埃などがもう一度完全に濾過されるようになるのは、前述の場合と同様である。
一方、前記多孔性フィルタ９３及びプリーツフィルタ８３は、その種類を問わず、微細フィルタ９２，８２を介して一度濾過された空気がもう一度きれいに濾過できるものであれば、何れの形態のものであってもよい。
また、微細フィルタ９２の表面に付着する微細塵埃などが容易に洗浄できるのは言うまでもなく、多孔性フィルタ９３に溜まる塵埃の量が少なくなり、使用寿命を延ばすこともできる。
【００２７】
図６は、フィルタケース（８１または９１）の形態の変形例を示している。フィルタケース（８１または９１）は、集塵ケーシング８０の内部中央に設けられ、流入口７１に流入する空気は、フィルタケースを中心としてサイクロン方式で渦巻き流を形成する。本実施の形態においては、フィルタケースの一部を空気の吸込まれないように閉塞された構造に形成している。即ち、フィルタケースには、外周面の一部に通気孔として機能する複数の開口部８１ｂが設けられ、他の一部には開口部の設けられていない閉塞部８１ａを備えている。
【００２８】
このような構造のフィルタケースを閉塞部８１ａが集塵ケーシング８０の流入口７１に流入する空気の流れと対向するように設けると、流入した空気が渦巻き流を形成して集塵を行うことなく、そのままフィルタアセンブリ４０に吸込まれることを防止することが可能となる。従って、掃除機の集塵効率をより向上させることができる。
【００２９】
本発明は、様々な方式の掃除機に適用することができ、サイクロン方式による真空掃除機により好適に適用可能で、使用上の便宜をより向上させることができる。
以上のように、上記実施の形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【００３０】
【図１】本発明に係るサイクロン方式の真空掃除機の集塵ユニットの正面斜視図である。
【図２】本発明に係るサイクロン方式の真空掃除機の集塵ユニットの分解斜視図である。
【図３】本発明の一実施の形態による真空掃除機のフィルタアセンブリの分解斜視図である。
【図４】本発明に係るフィルタの好ましい実施の形態を示す斜視図である。
【図５】本発明に係る真空掃除機のフィルタアセンブリの他の実施の形態による分解斜視図である。
【図６】本発明に係るフィルタケースの変形例を示す斜視図である。
【図７】一般のサイクロン方式のフィルタリングを行う真空掃除機を示す斜視図である。
【符号の説明】
【００３１】
８１…フィルタケース
８２…１次のフィルタ
８３…２次のフィルタ
８４…フィルタカバー
【図１】
2005028101.tif 000003
【図２】
2005028101.tif 000004
【図３】
2005028101.tif 000005
【図４】
2005028101.tif 000006
【図５】
2005028101.tif 000007
【図６】
2005028101.tif 000008
【図７】
2005028101.tif 000009